(57)【要約】【課題】  一または複数回のコネクタ挿抜時に、ピン端子の曲がりや損傷を防止する。【解決手段】  液晶表示装置に用いられるコネクタにおいて、他方コネクタ３に、両接続導体の高さ位置が合うように支持する垂直方向支持部材３３と、平面Ａ上に沿って垂直方向支持部材３３の下面を上から押し付けてスライドさせるためのケーブル挿抜用突起部３４と、基板端面Ｂに当接可能な過挿入防止用の水平方向支持部材３５ａ，３５ｂとが設けられている。【選択図】  図１
2008135189.tif 000002
【特許請求の範囲】
【請求項１】
一方コネクタと、該一方コネクタの接続導体に対して接続導体が所定平面に沿って挿抜可能とされて両接続導体が接続または遮断可能とされる他方コネクタとを有するコネクタにおいて、
該他方コネクタに、該他方コネクタの接続導体が該一方コネクタの接続導体に対して、該所定平面に垂直な方向位置が合うように該他方コネクタを支持する垂直方向支持部材が設けられているコネクタ。
【請求項２】
前記垂直方向支持部材は、前記所定平面上でスライド可能な下面を有する請求項１に記載のコネクタ。
【請求項３】
前記下面には、前スライド方向にストライプ状の一または複数の凹部が形成されている請求項２に記載のコネクタ。
【請求項４】
前記下面とスライド方向前面とはアール形状で連接されている請求項２または３に記載のコネクタ。
【請求項５】
前記他方コネクタの上部には、前記所定平面上に沿って前記垂直方向支持部材の下面をスライドさせるための力作用部材が設けられている請求項１に記載のコネクタ。
【請求項６】
前記力作用部材は、指で力を作用可能な凹部、突起部および係合部のいずれかである請求項５に記載のコネクタ。
【請求項７】
前記凹部または突起部は球面状である請求項６に記載のコネクタ。
【請求項８】
前記突起部は断面台形状である請求項６に記載のコネクタ。
【請求項９】
取付られた該一方コネクタの両側の各端面に当接可能な水平方向支持部材が該他方コネクタの両側に設けられ、該各端面は、該一方コネクタに対する該他方コネクタの挿抜方向に直交する方向にそれぞれ設けられている請求項１または５に記載のコネクタ。
【請求項１０】
一方コネクタと、該一方コネクタの接続導体に対して接続導体が所定平面に沿って挿抜可能とされて両接続導体が接続または遮断可能とされる他方コネクタとを有するコネクタにおいて、
取付られた該一方コネクタの両側の各端面に当接可能な水平方向支持部材が該他方コネクタの両側に設けられ、該各端面は、該一方コネクタに対する該他方コネクタの挿抜方向に直交する方向にそれぞれ設けられているコネクタ。
【請求項１１】
前記水平方向支持部材は前記両接続導体の接続時に一方から他方に所定以上挿入されるのを止めるストッパーとして作用する請求項９または１０に記載のコネクタ。
【請求項１２】
請求項１〜１１に記載のコネクタの前記一方コネクタに前記他方コネクタを装着することにより該他方コネクタから該一方コネクタ側の電子機器に電源および信号を供給して該電子機器の駆動を検査する電子機器の検査方法。
【請求項１３】
前記電子機器は、液晶表示パネルと、この背面側に装着されたバックライトとを有する液晶モジュールである請求項１２に記載の電子機器の検査方法。
【請求項１４】
前記液晶モジュールの背面側に前記一方コネクタが設けられ、該背面を前記所定平面とし、前記端面は、該一方コネクタが設けられた配線基板の端面または該背面に形成された端面である請求項１３に記載の電子機器の検査方法。
【請求項１５】
前記一方コネクタに対する前記他方コネクタの挿抜を複数回行って複数の検査を行う請求項１２〜１４のいずれかに記載の電子機器の検査方法。
【請求項１６】
請求項１２〜１５のいずれかに記載の電子機器の検査方法による検査工程と、
該検査工程後に、前記一方コネクタに、前記他方コネクタとは別の製品用他方コネクタを挿入して電子機器を組み立てる工程とを有する電子機器の製造方法。
【発明の詳細な説明】
【技術分野】
【０００１】
本発明は、例えば基板配線などに取り付けられた一方コネクタに対して他方コネクタを装着することにより配線接続を可能とするコネクタおよび、これを用いた例えば液晶表示装置などの電子機器の検査方法およびこれを用いた電子機器の製造方法に関する。
【背景技術】
【０００２】
従来、コネクタの挿抜に伴って、ピン端子（接続導体）に曲がりや損傷が発生すると、コネクタが取り付けられた配線基板を用いた装置の駆動に支障を来たす。これを防止するために、ピン端子の曲がりや損傷の防止機能を備えたコネクタが必要になる。これが、例えば特許文献１に開示されている。
【０００３】
この特許文献１の「多ピンコネクタにおけるピン曲がり防止一体成形ガイド」には、図５に示すように、複数のピン端子Ｐ間を保持するガイドＧを、そのコネクタハウジングＨと共に一体成形することが記載されている。このガイドＧの一体成形によって、複数のピン端子ＰにこのガイドＧを新たに装着する必要がなく、ガイドＧは、コネクタ装着過程で、プリント回路基板の端面で奥側（コネクタハウジングＨ側）に押されて仮想線で示すようにコネクタハウジングＨの前面壁まで移動するようになっている。このピン端子Ｐ間保持機構のガイドＧによって、コネクタ輸送途中やコネクタ装着時に、ピン端子に曲がりや損傷が発生するのが防止できる。
【特許文献１】実開平２−１１９３７９号公報
【発明の開示】
【発明が解決しようとする課題】
【０００４】
しかしながら、上記従来技術では、最初のコネクタの装着時だけにピン端子Ｐ間保持機構が作用しており、例えば検査工程を含み複数回のコネクタの挿抜が必要となる場合には、ガイドＧはコネクタハウジングＨの前面壁側まで移動してしまっており、ガイドＧがピン端子の曲がりや損傷の防止に寄与しなくなって全く意味を為さなくなる。また、上記従来技術では、一回の挿抜であっても、コネクタの抜く時には、既に、ガイドＧはコネクタハウジングＨ側まで移動してしまっているため、コネクタのピン端子の曲がりや損傷を防止することはできない。
【０００５】
本発明は、上記従来の問題を解決するもので、一または複数回のコネクタ挿抜時に、ピン端子の曲がりや損傷を防止できるコネクタおよび、これを用いた電子機器の検査方法およびこれを用いた電子機器の製造方法を提供することを目的とする。
【課題を解決するための手段】
【０００６】
本発明のコネクタは、一方コネクタと、該一方コネクタの接続導体に対して接続導体が所定平面に沿って挿抜可能とされて両接続導体が接続または遮断可能とされる他方コネクタとを有するコネクタにおいて、
該他方コネクタに、該他方コネクタの接続導体が該一方コネクタの接続導体に対して、該所定平面に垂直な方向位置が合うように該他方コネクタを支持する垂直方向支持部材が設けられており、そのことにより上記目的が達成される。
【０００７】
また、好ましくは、本発明のコネクタにおける垂直方向支持部材は、前記所定平面上でスライド可能な下面を有する。
【０００８】
さらに、好ましくは、本発明のコネクタにおける下面には、前スライド方向にストライプ状の一または複数の凹部が形成されている。
【０００９】
さらに、好ましくは、本発明のコネクタにおける下面とスライド方向前面とはアール形状で連接されている。
【００１０】
さらに、好ましくは、本発明のコネクタにおける他方コネクタの上部には、前記所定平面上に沿って前記垂直方向支持部材の下面をスライドさせるための力作用部材が設けられている。
【００１１】
さらに、好ましくは、本発明のコネクタにおける力作用部材は、指で力を作用可能な凹部、突起部および係合部のいずれかである。
【００１２】
さらに、好ましくは、本発明のコネクタにおける凹部または突起部は球面状である。
【００１３】
さらに、好ましくは、本発明のコネクタにおける突起部は断面台形状である。
【００１４】
さらに、好ましくは、本発明のコネクタにおいて、取付られた該一方コネクタの両側の各端面に当接可能な水平方向支持部材が該他方コネクタの両側に設けられ、該各端面は、該一方コネクタに対する該他方コネクタの挿抜方向に直交する方向にそれぞれ設けられている。
【００１５】
さらに、本発明のコネクタは、一方コネクタと、該一方コネクタの接続導体に対して接続導体が所定平面に沿って挿抜可能とされて両接続導体が接続または遮断可能とされる他方コネクタとを有するコネクタにおいて、取付られた該一方コネクタの両側の各端面に当接可能な水平方向支持部材が該他方コネクタの両側に設けられ、該各端面は、該一方コネクタに対する該他方コネクタの挿抜方向に直交する方向にそれぞれ設けられているものであり、そのことにより上記目的が達成される。
【００１６】
さらに、好ましくは、本発明のコネクタにおける水平方向支持部材は前記両接続導体の接続時に一方の接続導体から他方の接続導体に所定以上挿入されるのを止めるストッパーとして作用する。
【００１７】
本発明の電子機器の検査方法は、本発明の上記コネクタの前記一方コネクタに前記他方コネクタを装着することにより該他方コネクタから該一方コネクタ側の電子機器に電源および信号を供給して該電子機器の駆動を検査するものであり、そのことにより上記目的が達成される。
【００１８】
また、好ましくは、本発明の電子機器の検査方法において、前記電子機器は、液晶表示パネルと、この背面側に装着されたバックライトとを有する液晶モジュールである。
【００１９】
さらに、好ましくは、本発明の電子機器の検査方法において、前記液晶モジュールの背面側に前記一方コネクタが設けられ、該背面を前記所定平面とし、前記端面は、該一方コネクタが設けられた配線基板の端面または該背面に形成された端面である。
【００２０】
さらに、好ましくは、本発明の電子機器の検査方法において、前記一方コネクタに対する前記他方コネクタの挿抜を複数回行って複数の検査を行う。
【００２１】
本発明の電子機器の製造方法は、本発明の上記電子機器の検査方法による検査工程と、該検査工程後に、前記一方コネクタに、前記他方コネクタとは別の製品用他方コネクタを挿入して電子機器を組み立てる工程とを有するものであり、そのことにより上記目的が達成される。
【００２２】
上記構成により、以下、本発明の作用を説明する。
【００２３】
本発明においては、他方コネクタに、両接続導体の高さ位置が合うように支持する垂直方向支持部材と、平面Ａ上に沿って垂直方向支持部材の下面を上から押し付けてスライドさせるための力作用部材と、各端面に当接可能な過挿入防止用の水平方向支持部材とのうち、少なくとも垂直方向支持部材または水平方向支持部材が設けられている。
【００２４】
この垂直方向支持部材によりコネクタ接続導体の上下方向の曲がりを防止する。また、力作用部材により力を上方向に作用させずにコネクタ接続導体の上下方向の曲がりをより確実に防止する。さらに、水平方向支持部材によりコネクタ接続導体の左右方向の曲がりを防止すると共に過挿入をも防止する。
【００２５】
これによって、一または複数回のコネクタ挿抜時に、ピン端子の曲がりや損傷を防止することが可能となる。
【発明の効果】
【００２６】
以上により、本発明のよれば、他方コネクタに、両接続導体の高さ位置が合うように支持する垂直方向支持部材と、平面Ａ上に沿って垂直方向支持部材の下面を上から押し付けてスライドさせるための力作用部材と、各端面に当接可能な過挿入防止用の水平方向支持部材とのうちの少なくとも垂直方向支持部材または水平方向支持部材が設けられているため、垂直方向支持部材により接続導体の上下方向の曲がりを防止し、力作用部材により力を上方向に作用させずに接続導体の上下方向の曲がりをより確実に防止し、または、水平方向支持部材により接続導体の左右方向の曲がりを防止すると共に過挿入を防止することができる。これによって、一または複数回のコネクタ挿抜時に、ピン端子の曲がりや損傷を防止できる。
【発明を実施するための最良の形態】
【００２７】
以下に、本発明のコネクタおよび、これを用いた電子機器の検査方法およびこれを用いた電子機器の製造方法の実施形態を、電子機器として例えば携帯電話、パーソナルコンピュータやテレビジョン装置などの表示部に用いらる液晶表示装置に適用した場合について図面を参照しながら詳細に説明する。
【００２８】
図１は本発明のコネクタの実施形態における要部取付周辺構成例を示す平面図、図２はその側面図である。
【００２９】
図１および図２において、本実施形態のコネクタ１は、一方コネクタ２（例えばレセプタクル・コネクタ）と他方コネクタ３（例えばプラグ・コネクタ）とを有し、取り付けられた一方コネクタ２に対して、所定の平面Ａに沿って他方コネクタ３が挿抜可能とされ、一方コネクタ２への他方コネクタ３の挿入時に両接続導体（レセプタクル２１とプラグ３１）が電気的に接続され、また、一方コネクタ２から他方コネクタ３の抜取時に両接続導体（レセプタクル２１とプラグ３１）が電気的に遮断されるようになっている。
【００３０】
一方コネクタ２は、所定間隔に配列された一または複数のレセプタクル２１（接続導体）が樹脂製のハウジング内に収容されて設けられた一方コネクタ本体が、レセプタクル取り付け基板２２上に、基板平面に沿って挿抜可能なように取り付けられている。
【００３１】
他方コネクタ３は、他方コネクタ本体３２と、他方コネクタ本体３２の下方位置に設けられた垂直方向支持部材３３と、他方コネクタ本体３２の上方位置に設けられた力作用部材としてのケーブル挿抜用突起部３４と、他方コネクタ本体３２の両側面に設けられた水平方向支持部材３５ａ，３５ｂと、他方コネクタ本体３２の後面側に設けられたピン抜け防止機構部３６とを有している。
【００３２】
他方コネクタ本体３２は、所定間隔に配列された一または複数のプラグ３１（接続導体）が樹脂製のハウジング内に収容されて設けられている。
【００３３】
垂直方向支持部材３３は、平面Ａ上でスライド可能な下面を有し、他方コネクタ３の接続導体の高さ（平面Ａからの垂直な方向位置）と一方コネクタ２の接続導体の高さ（平面Ａからの垂直な方向位置）とが一致するように他方コネクタ本体３２を支持している。その下面は、図３に示すようにスライド方向にストライプ状の一または複数の凹部３３１が形成されていてもよい。また、その下面とスライド方向前面とはアール形状で連接されており、このアール形状により「そり」の先端部のようにスライドし易くしている。垂直方向支持部材３３の下面は、一方コネクタ２（レセプタクルコネクタ）のピン配列方向とは直交する方向（平面Ａに対する垂直方向）の平面Ａに対する受け機構を構成している。なお、平面Ａとレセプタクル取り付け基板２２の平面とは平行に配置されている。
【００３４】
ケーブル挿抜用突起部３４は、コネクタ挿抜時に、他方コネクタ本体３２を下側に押圧した状態で、所定平面Ａ上に沿って垂直方向支持部材３３の下面をスライドさせるように力を作用させるために用いることができる。この場合、縦断面の両側に上に狭いテーパーが付いた断面台形状であり、指でつまんで上方向に力が作用しにくいような形状になっている。なお、このような指で力を作用可能な突起部の他に、図４に示すような球面状の凸部３４１や凹部３４２や、爪や指先で引っ掛ける係合部３４３であってもよい。要は、指でつまんで上方向に力が作用しにくいような形状であればよい。
【００３５】
水平方向支持部材３５ａ，３５ｂは、その前面が、一方コネクタ２が取付られた両側位置にそれぞれ設けられ、かつ、一方コネクタ２に対する他方コネクタ３の挿抜方向に直交する方向にそれぞれ設けられた各端面（例えばレセプタクル取り付け基板２２の端面Ｂ）に当接可能とし、両接続導体（レセプタクル２１とプラグ３１）の接続時に、レセプタクル２１にプラグ３１が所定以上挿入されるのを防止するためのストッパー（過挿入防止機構）として作用すると共に、両接続導体（レセプタクル２１とプラグ３１）が互いに傾いて挿入されるのを防止する。このように、水平方向支持部材３５ａ，３５ｂは、一方コネクタ２（レセプタクルコネクタ）のピン配列方向に対する傾き防止用のガイド機構として作用する。
【００３６】
ピン抜け防止機構部３６は、複数のプラグ３１にそれぞれ接続された各ケーブル（電線）およびその接続部をホットメルトなどによって樹脂固定する。これによって、他方コネクタ３から、プラグコネクタに挿入固定したピン部分（プラグ３１）が外れないように機械的、化学的に固定している。
【００３７】
上記構成により、以下、その作用について説明する。
【００３８】
液晶表示パネルと、この背面にバックライトを装着した液晶モジュールの実装工程の最終段階として、最終組立品が例えばパーソナルコンピュータの表示画面であればキーボードやマウスからの信号に応じて表示駆動し、最終組立品が例えばテレビジョンであればチューナからのテレビジョン信号に応じて表示駆動するが、そういう最終組立品がまだ組み立てられていない製品未完成の前段階で、電源や表示データを液晶モジュールに供給して表示駆動（例えばＦＰＤモジュールへの信号入力を行うとき）させる表示駆動検査工程がある。
【００３９】
この場合に、液晶モジュールの裏面（背面）側は樹脂で覆われており、ケーブル挿抜用突起部３４を指で押さえて、この樹脂裏面の平面Ａ上に沿って平行に垂直方向支持部材３３の下面をスライドさせ、液晶モジュール側に固定された一方コネクタ２の接続導体（レセプタクル２１）に、電源や表示データ供給用（検査用）に用いる他方コネクタ３の接続導体（プラグ３１）を挿入して装着する。この状態で、液晶モジュール組立後の表示駆動検査、所定の温度を所定時間かけて通電状態行う表示駆動検査、この所定温度をさました状態で行う表示駆動検査など、異なる複数の検査項目毎に複数回のコネクタ挿抜を行って検査する。特に、一方コネクタ２は壊れやすい小さく薄いコネクタであるので取り扱いに注意を要する。
【００４０】
このとき、耳部材の水平方向支持部材３５ａ，３５ｂの基板２２の端面Ｂへの当接により、レセプタクル２１へのプラグ３１の挿入し過ぎの防止と、コネクタ挿抜時のレセプタクル２１へのプラグ３１の傾き挿入の防止を行う。コネクタ左右方向のピン曲がりを防止するためには、ピン（レセプタクル２１とプラグ３１）が曲がらない程度の耳部材（水平方向支持部材３５ａ，３５ｂ）の長さが必要である。この耳部材（水平方向支持部材３５ａ，３５ｂ）の長さは、例えば耳部材の片側が一方コネクタ２の幅寸法（間口寸法）の半分程度の長さであってもよく、要は、ピンのオスとメスとの遊び分と傾きとの関係から、ばね性を考慮して互いに変形しない程度の傾きに対応した長さである必要がある。なお、水平方向支持部材３５ａ，３５ｂの基板２２の端面Ｂへの当接は全区間に渡って当接する必要がなく、アーチがかかって最も遠い位置で当接していればよい。
【００４１】
また、両接続導体（レセプタクル２１とプラグ３１）の高さを合わせる高さ調節台として、他方コネクタ３の下部に垂直方向支持部材３３が設けられているが、垂直方向支持部材３３の下面を平面Ａ上にスライドさせて、一方コネクタ２に他方コネクタ３を装着させることにより、両接続導体（レセプタクル２１とプラグ３１）の上下方向の曲がり防止することができる。垂直方向支持部材３３の下面においてコネクタ挿抜方向に図３に示すようなスリット（凹部３３１）があれば、スリット方向以外に動き難くく、コネクタ挿抜方向にはスライドしやすい。ただし、スリット（凹部３３１）を付けるのに加工コストがかかる。
【００４２】
さらに、ケーブル挿抜用突起部３４は、コネクタ挿抜時に力が入り過ぎることがないように、上から押さえて垂直方向支持部材３３の下面を樹脂面（平面Ａ）に沿わせてゆくものであればよく、上方向に力が入りにくいまたは入らないものであればよい。ケーブル挿抜用突起部３４は爪で引っ掛ける程度の突起部（例えば凸部３４３）であればよく、持って引き上げできない構造であればよい。このように、調節台だけで高さ方向の両接続導体の位置合わせができるが、これに加えてケーブル挿抜用突起部３４を設けることにより他方コネクタ３を平面Ａから引き上げることができないので両接続導体の上下方向、特に上方向のピン曲がりが防止できる。他方コネクタ３を下側の押さえて樹脂面（平面Ａ）上をスライドさせることが大事で、無意識で持ち上げるようにしないためにも突起は十分に持てない程度に小さくするか、上方向に萎むテーパを付けるか（例えば断面台形）、さらには図４に示すような表面が半球面状の凹部３４２または凸部３４１のものがよい。
【００４３】
以上により、本実施形態によれば、他方コネクタ３に、両コネクタの両接続導体の高さ位置が合うように支持する垂直方向支持部材３３と、平面Ａ上に沿って垂直方向支持部材３３の下面を上から押し付けてスライドさせるためのケーブル挿抜用突起部３４と、基板端面Ｂに当接可能な過挿入防止用および傾き挿入防止用の水平方向支持部材３５ａ，３５ｂとのが設けられているため、垂直方向支持部材３３で接続導体の上下方向の曲がりを防止し、ケーブル挿抜用突起部３４で力を上方向に作用させずに接続導体の上方向の曲がりをより確実に防止し、さらには、水平方向支持部材３５ａ，３５ｂで接続導体の左右方向の曲がりを防止すると共に過挿入を防止することができる。
【００４４】
なお、本実施形態では、他方コネクタ３に、垂直方向支持部材３３、ケーブル挿抜用突起部３４および水平方向支持部材３５ａ，３５ｂを設けるように構成したが、これに限らず、他方コネクタ３に垂直方向支持部材３３だけを設けてもよく、また、他方コネクタ３に水平方向支持部材３５ａ，３５ｂだけを設けてもよい。さらには、他方コネクタ３に垂直方向支持部材３３と共にケーブル挿抜用突起部３４を設けてもよい。
【００４５】
また、本実施形態では、本発明をノートパソコンやテレビジョン用の液晶モジュールに適合させた場合について説明したが、これに限らず、その他の携帯電話やＰＤＡの液晶表示部など各種電子機器に本発明のコネクタを適用することができる。
【００４６】
この場合に、本発明のコネクタの一方コネクタ２に他方コネクタ３を装着することにより他方コネクタ３から一方コネクタ２側の電子機器（液晶モジュール）に電源および各種駆動信号を供給して液晶モジュールの駆動を、コネクタ挿抜を一または複数回行って複数の検査を行うことができる。
【００４７】
本発明の電子機器の製造方法として、このような電子機器の検査方法による表示駆動検査工程と、この表示駆動検査工程後に、一方コネクタ２に検査用の他方コネクタ３とは別の製品用他方コネクタを挿入して電子機器（ノートパソコンやテレビジョンなど）を組み立てる工程とを有していてもよい。
【００４８】
検査したときに、検査できなくてコネクタ（一方コネクタ２または／および他方コネクタ３）が壊れるか損傷したと判るときと、これが判らない抜取時にコネクタが壊れるか損傷する場合（一方コネクタ２または／および他方コネクタ３）とがあり、壊れたまま製品として出荷される可能性がある。ピンが曲がって歪んだり欠けたりすると、適正な表示駆動ができない場合、電源が入らない場合、両接続導体の接触不良でノイズが表示画面上に現れる場合などがある。
【００４９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００５０】
本発明は、例えば基板配線などに取り付けられたコネクタに対して配線接続を可能とするコネクタおよび、これを用いた例えば液晶表示装置などの電子機器の検査方法およびこれを用いた電子機器の製造方法の分野において、一または複数回のコネクタ挿抜時に、ピン端子の曲がりや損傷を防止できる。この液晶表示装置は、ノートパソコンやテレビジョン、ＰＤＡや携帯電話などの電子情報機器に適用させることできて、良好な表示品位を維持することができる。
【図面の簡単な説明】
【００５１】
【図１】本発明のコネクタの実施形態を含む周辺部分における要部取付周辺構成例を示す平面図である。
【図２】図１のコネクタを含む周辺部分の側面図である。
【図３】図１の垂直方向支持部材の裏面形状を示す図である。
【図４】（ａ）〜（ｃ）は図１のケーブル挿抜用突起部の他の力作用部材の事例を示す断面図である。
【図５】従来のコネクタの概略構成を模式的に示す図である。
【符号の説明】
【００５２】
１  コネクタ
２  一方コネクタ２
２１  レセプタクル
２２  レセプタクル取り付け基板
３  他方コネクタ
３１  プラグ
３２  他方コネクタ本体
３３  垂直方向支持部材
３４  ケーブル挿抜用突起部（力作用部材）
３５ａ，３５ｂ  水平方向支持部材
Ａ  所定の平面（液晶モジュールの裏面）
Ｂ  端面（レセプタクル取り付け基板２２の端面）
【図１】
2008135189.tif 000003
【図２】
2008135189.tif 000004
【図３】
2008135189.tif 000005
【図４】
2008135189.tif 000006
【図５】
2008135189.tif 000007